(57)【要約】      （修正有）【課題】電磁弁が最小圧力及び最大圧力時、排出ポートを通じての漏洩量を最小にする電磁制御弁を提案する。【解決手段】ソレノイドを通して配置された可調節型端部キャップを有するソレノイド部分を備える二重ポペット低漏洩可変ブリード電磁弁の構成である。端部キャップの周りには排出ポートが配置されている。液圧部分は、ソレノイド部分と接続可能な弁ハウジングを有している。液圧部分は、該部分に形成された制御容積を有しており、また、供給ポートは、弁ハウジングを通して接続される。弁軸はソレノイド部分を通して摺動可能に配置され且つ、液圧部分に長手方向に伸びている。弁軸の第一の端部は、一次弁を形成するソレノイド部分にて終わり、また、弁軸の第二の端部は、二次弁を形成する液圧部分にて終わる。弁軸は、流体媒体が弁軸の第一の端部と第二の端部との間を通るのを許容し得るよう弁軸を通して配置された中空通路を更に有している。【選択図】  図１
2006349142.tif 000002
【特許請求の範囲】
【請求項１】
電磁弁において、
ソレノイド部分であって、コイルが巻かれたボビンを包み込むハウジングと、前記ハウジングの一端を通して配置された排出通路とを有するソレノイド部分と、
液圧部分であって、前記ソレノイド部分に接続可能な弁ハウジングと、前記液圧部分に接続された制御容積とを有する液圧部分と、
前記液圧部分の前記弁ハウジングを通して接続された供給ポートと、
前記ソレノイド部分を通して摺動可能に配置されたアーマチャを有する弁軸であって、前記ボビンが前記アーマチャの周りに環状に配置され、前記ソレノイド部分から前記液圧部分内に伸びており、前記ソレノイド部分に隣接して配置されて終わる第一の端部と、前記液圧部分に隣接して配置された第二の端部とを有する弁軸と、
前記弁軸の第一の端部に配置された一次弁と、
前記弁軸の第二の端部に配置された二次弁と、を備え、前記弁軸が第一の方向に向けて動くと、二次弁は、開いた位置に向けて動き、前記一次弁は、閉じた位地に向けて動き、また、第二の位置に向けて動くと、二次弁は、閉じた位置に向けて動き、前記一次弁は、開いた位置に向けて動く電磁弁。
【請求項２】
請求項１の電磁弁において、前記二次弁と前記一次弁との間の流体的連通を許容するよう前記弁軸を通して配置された中空の通路を更に備える、電磁弁。
【請求項３】
請求項２の電磁弁において、前記中空の通路は、電磁弁の安定性を向上させ得るように前記弁軸を粘性減衰させることができる、電磁弁。
【請求項４】
請求項１の電磁弁において、前記ソレノイドの前記ハウジングを通して配置された調節可能な端部キャップを更に備え、前記排出ポートは、前記端部キャップの周りに配置される、電磁弁。
【請求項５】
請求項４の電磁弁において、前記一次弁は、前記弁軸の前記第一の端部の周りに形成された一次ポペットと、前記一次ポペットに隣接して前記端部キャップに形成された一次弁座とから形成され、
前記二次弁は、前記弁軸の前記第二の端部の周りに形成された二次ポペットと、前記液圧部分内に保持された二次弁座とから形成され、前記二次弁座を貫通して伸びる開口を有し、前記二次弁座は、前記制御容積と前記供給ポートとの間に配置される、電磁弁。
【請求項６】
請求項１の二重ポペット低漏洩可変ブリード電磁弁において、
前記ボビンに隣接して前記ソレノイド部分内に環状に配置された極片を備え、
前記極片は、減少した内径のフランジを有し且つ前記アーマチャと整合し、また、前記アーマチャを摺動可能に囲む形態とされ、前記アーマチャは、前記ボビン及びコイルにより囲まれ、このため、前記アーマチャ及び前記弁軸は、前記ソレノイド部分の励起に応答して前記弁軸の長手方向軸線の周りにて摺動する、二重ポペット低漏洩可変ブリード電磁弁。
【請求項７】
請求項６の電磁弁において、
前記弁軸と前記ハウジングとの間に配置された１つ又はより多くの下側軸受であって、前記弁軸の摺動を容易にする機能を果たす１つ又はより多くの下側軸受と、
前記弁軸の周りに形成され且つ、前記アーマチャと前記１つ又はより多数の上側軸受との間を伸びるばねとを備え、前記ソレノイド部分は非励起状態とされると、前記ばねは、前記アーマチャに力を加えて前記弁軸を摺動させて、前記一次弁は開いた位置となり、前記二次弁は、閉じた位置となる、電磁弁。
【請求項８】
電磁弁において、
ソレノイド部分であって、コイル組立体を包み込むハウジングと、前記ハウジングを通して配置された調節可能な端部キャップとを有し、前記端部キャップは、前記端部キャップの周りに配置された排出ポートを形成する面を有する、ソレノイド部分と、
液圧部分であって、前記ソレノイド部分に接続可能な弁ハウジングと、前記液圧部分内に形成された制御容積とを有する液圧部分と、
前記液圧部分の前記弁ハウジングを通して接続された供給ポートと、
前記ソレノイド部分を通して摺動可能に配置された弁軸であって、前記ボビンが前記弁軸の周りに環状に配置され、前記ソレノイド部分から前記液圧部分内に伸びており、前記弁軸の第一の端部は、前記ソレノイド部分にて終わり、前記第一の端部の周りに形成された一次ポペットを有し、前記弁軸の第二の端部は、前記液圧部分にて終わり、前記第二の部分の周りに形成された二次ポペットを有する、弁軸と、
前記弁軸の前記第一の端部と前記第二の端部との間を媒体が通るのを許容するよう前記弁軸を通して配置された中空の通路と、
前記ソレノイド部分内に保持された一次ポペット座であって、前記一次弁座は、前記弁軸の一次ポペットに隣接して前記端部キャップに形成された、一次ポペット座と、
前記液圧部分内に保持された二次弁座であって、弁座を貫通して伸びる開口を有し、前記制御容積と前記供給ポートとの間に配置された、二次弁座と、
前記ボビンに隣接して前記ソレノイド部分内に環状に配置された極片であって、減少した内径のフランジを有する、極片と、
前記弁軸に取り付けられたアーマチャであって、前記極片の前記減少した内径のフランジと整合し且つ、前記フランジに摺動可能に内接するような形態とされたアーマチャと、を備え、前記アーマチャは、前記ボビン及びコイルにより囲まれ、このため、前記アーマチャ及び前記弁軸は、前記ソレノイド部分の励起に応答して長手方向に摺動する形態とされる、電磁弁。
【請求項９】
請求項８の電磁弁において、
前記弁軸の周りに形成されたばねを更に備え、
前記ばねは、前記二次弁座と接触する方向に向けて前記二次ポペットを動かすよう偏倚され、二重ポペット低漏洩電磁弁を常閉位置すなわち常高圧位置に配置する、電磁弁。
【請求項１０】
請求項８の電磁弁において、
前記弁軸の周りに形成されたばねを更に備え、
前記ばねは、前記一次弁座と接触する方向に向けて前記一次ポペットを動かすよう偏倚され、前記弁を常開位置すなわち常低圧位置に配置する、電磁弁。
【請求項１１】
前記ハウジングの端部を貫通するよう配置された排出通路を有するハウジングを備えるソレノイド部分と、前記弁ハウジング及び前記弁ハウジングと接続された制御容積を通して接続された供給ポートを有する弁ハウジングを備える液圧部分と、前記ソレノイド部分を通して摺動可能に配置され且つ、前記液圧部分内に伸びる弁軸と、前記ソレノイド部分内にて前記弁軸の第一の端部に配置された一次弁と、前記液圧部分内にて前記弁軸の第二の端部に配置された二次弁と、を備える、二重ポペット低漏洩可変ブリード電磁弁を作動させる方法において、
前記ソレノイド部分を励起させて前記弁軸を第一の方向に向けて摺動させるステップと、
前記弁軸が前記第一の方向に向けて動くと、同時に前記二次弁を開くステップと、
前記弁軸が前記第一の方向に向けて動くと、同時に前記一次弁を閉じるステップと、
前記二次弁が開くと、流体を前記供給ポートから前記制御容積まで流動させるステップと、
制御容積内の圧力が最大値となる、完全に閉じた位置に前記一次弁が達する迄、余剰な圧力を前記一次弁を通して前記制御容積から前記排出ポートまで排出するステップと、
前記ソレノイドを非励起状態にし且つ、前記圧縮されたばね部材により前記アーマチャに加えられた力に応答して前記弁軸を第二の方向に向けて摺動させるステップと、
前記弁軸が前記第二の方向に向けて動くと、同時に前記二次弁を閉じるステップと、
前記弁軸が前記第二の方向に向けて動くと、同時に前記一次弁を開くステップと、
制御容積内の圧力が最小値となる、完全に閉じた位置に前記二次弁が達する迄、余剰な圧力を前記一次弁を通して前記制御容積から前記排出ポートまで排出するステップと、を備える、二重ポペット低漏洩可変ブリード電磁弁を作動させる方法。
【請求項１２】
請求項１１の方法において、前記二次弁と前記一次弁との間にて弁軸を通して長手方向に配置された中空の通路を更に備え、流体を流動させるステップは、流体を前記二次弁と前記一次弁との間にて前記中空の通路を通して流動させるステップを更に含む、方法。
【請求項１３】
前記ハウジングの端部を貫通するよう配置された排出通路を有するハウジングを備えるソレノイド部分と、前記弁ハウジング及び前記弁ハウジングと接続された制御容積を通して接続された供給ポートを有する弁ハウジングを備える液圧部分と、前記ソレノイド部分を通して摺動可能に配置され且つ、前記液圧部分内に伸びる弁軸と、前記ソレノイド部分内にて前記弁軸の第一の端部に配置された一次弁と、前記液圧部分内にて前記弁軸の第二の端部に配置された二次弁と、を備える、二重ポペット低漏洩可変ブリード電磁弁を作動させる方法において、
前記ソレノイド部分を励起させて前記軸を前記第二の端部に向けた方向に摺動させるステップと、
前記弁軸が前記第二の端部に向けて摺動すると、同時に前記二次弁を閉じるステップと、
前記弁軸が前記第二の端部に向けて動くと、同時に前記一次弁を開くステップと、
前記二次弁が完全に閉じた位置まで動き、前記一次弁が制御容積内の圧力が最小値となる完全に開いた位置となると、前記供給ポートから前記制御容積までの流れを制限するステップと、
前記ソレノイドを非励起状態にし且つ、前記圧縮されたばね部材により前記アーマチャに加えられた力に応答して前記弁軸を前記第一の端部に向けて摺動させるステップと、
前記弁軸が前記第一の端部に向けて動くと、前記二次弁を開くステップと、
前記弁軸が前記第一の端部に向けて動くと、前記一次弁を閉じるステップと、
制御容積内の圧力が最大値となる、完全に閉じた位置に前記一次弁が達する迄、前記一次弁を通して前記制御容積から前記排出ポートまでの流れを制限するステップと、を備える、二重ポペット低漏洩可変ブリード電磁弁を作動させる方法。
【請求項１４】
請求項１３の方法において、前記二次弁と前記一次弁との間にて弁軸を通して長手方向に配置された中空の通路を更に備え、流体を流動させるステップは、流体を前記二次弁と前記一次弁との間にて前記中空の通路を通して流動させるステップを更に含む、方法。
【請求項１５】
弁において、
ハウジングを有する動力付与部分と、
前記動力付与部分の前記ハウジングに接続可能な弁ハウジングを有する液圧部分と、
前記液圧部分を通して配置され且つ、前記動力付与部分内に伸びる弁軸であって、前記動力付与部分内にて終わる第一の端部と、前記液圧部分にて終わる第二の端部とを有する弁軸と、
前記弁軸の前記第一の端部に配置された一次弁と、
前記弁軸の前記第二の端部に配置された二次弁とを備える、弁。
【請求項１６】
弁において、
ハウジングを有する動力付与部分と、
前記動力付与部分の前記ハウジングに接続可能な弁ハウジングを有する液圧部分と、
前記液圧部分を通して配置され且つ、前記動力付与部分内に伸びる弁軸であって、前記弁軸を通って長手方向に伸びる中空の通路を有し、前記弁軸及び前記中空の通路は、前記動力付与部分内にて終わる第一の端部と、前記液圧部分にて終わる第二の端部とを有する弁軸と、
前記中空の通路の前記第一の端部に配置された一次弁と、
前記弁軸の前記第二の端部に配置された二次弁と、を備え、前記弁軸が前記一次弁に向けて第一の方向に動くと、前記一次弁は閉じた位置に向けて動き、二次弁は、開いた位置に向けて動き、前記弁軸が前記二次弁に向けて第二の方向に動くと、前記二次弁は閉じた位置に向けて動き、前記一次弁は開いた位置に向けて動く、弁。
【発明の詳細な説明】
【技術分野】
【０００１】
本発明は、電磁弁が最小圧力及び最大圧力にあるとき、排出ポートを通じての漏洩量を最小限にする電磁作動式ブリード型液圧制御弁に関する。
【背景技術】
【０００２】
自動車における伝動装置システム内の液圧流体の流れを制御するため従来技術の電磁弁がしばしば使用されている。従来の可変ブリード電磁弁は、圧力溜めへの可変漏洩路（排出口）を通る制御容積の圧力を降下させることにより圧力を調節する。漏洩量は、弁の制御部分内の圧力に逆比例する。この漏洩量は、典型的に、不動のオリフィスを取り囲む不動の環状の密封面に対して動く密封部材の形態（平坦、円錐形、ボール形等）をとる可変オリフィスによって制御される。密封部材が密封面と接触したとき、漏洩量は零に近くなり、制御容積内の圧力はその最高値に達する。密封部材が密封面から離れるとき、漏洩量は増して制御容積の圧力は密封部材と座部との間の最短距離の拭き払い面積の関数である率にて降下する。漏洩量は、伝動装置内に配置されたソレノイド装置の数が増加するとき、顕著となる可能性がある。個別の電磁弁構成要素の各々における漏洩量を最小限にすることは、システムの圧力を発生させる液圧ポンプの必要容量を最小にし且つ、伝動装置の効率を改良するため、望ましいことである。低漏洩の設計の可変ブリード電磁弁は、この漏洩量を最小限にする。供給遮断（二次）弁を排出ブリード（一次）弁と直列に一体化することにより、溜めへの漏洩量を最小限にすることができる。これら２つの弁は同時に作動される。排出ブリード（一次）弁が最小の制御容積の圧力を実現すべく完全に開くと、供給遮断（二次）弁は、完全に閉じて制御容積を通じて溜めへの流体の漏洩を防止する。排出ブリード（一次）弁が閉じられて制御容積の圧力を上昇させると、供給遮断（二次）弁は開いて流体が制御容積に入るのを許容する。制御容積の最大圧力のとき、排出ブリード（一次）弁は完全に閉じられ、供給遮断（二次）弁は完全に開く。
【発明の開示】
【発明が解決しようとする課題】
【０００３】
既知の低漏洩可変ブリード電磁弁の１つの不利益な点は、排出ブリード弁に近接して供給遮断弁を追加する結果、電磁弁の構造が複雑になる点である。流れの方向を変更するための追加的な構成要素は、しばしば製造が困難で且つ、コスト高となる複雑な幾何学的形態を有している。別の不利益な点は、既知の低漏洩可変ブリード弁の多くは不均衡な供給圧力の作用を受ける液圧領域を有するため、供給圧力及び温度の変動による影響を受け易い点である。本明細書に記載した発明は、供給圧力のフィードバック面積を最小にするという有利な点も有する、より簡単な弁及び流れの幾何学的な形態を利用することにより従来の技術と相違する。
【課題を解決するための手段】
【０００４】
本発明は、自動車の伝導装置系にて使用される新規且つ、改良された低漏洩ポペット電磁弁に関する。該弁は、コイルが巻かれたボビンを包み込むハウジングを有するソレノイド部分（例えば、磁石部分）を有している。可調節式の端部キャップがハウジングを通って配置されており、また、端部キャップの周りに配置された排出ポートを有している。液圧部分は、ソレノイド部分に接続可能な弁ハウジングを有している。液圧部分は、その内部に形成された制御容積を有しており、また、供給ポートが弁ハウジングを通して接続される。弁軸と、その周りに取り付けられた環状アーマチャとを備える弁軸組立体は、ソレノイド部分を通して摺動可能に配置されており、このため、ボビンがアーマチャの周りに環状に配置される。液圧部分は、弁軸を介してソレノイド部分を通って伸びて液圧部分を完成させる。弁軸は、隣接するソレノイド部分にて終わる第一の端部を有し、また、第一の端部の周りに形成されたポペットを有している。弁軸の第二の端部は液圧部分に隣接して配置され、また、第二の端部の周りに形成された第二のポペットを有している。弁軸は、流体媒体が弁軸の第一の端部と第二の端部との間を通るのを許容し得るよう弁軸を通して配置された中空通路を更に有している。
【０００５】
一次弁座は、端部キャップの一部として形成され且つ、ソレノイド部分内に収容されている。一次弁は、圧力範囲の殆どの間、主制御弁である。一次弁座は、弁軸の一次ポペットに隣接して配置し得るような形態とされている。二次弁座は、液圧部分内に収容され且つ、弁軸の二次ポペットに隣接して配置されている。二次弁座は制御容積と液圧部分の供給ポートとの間に配置されている。更に、二次弁座は、供給ポートと制御容積との間の相互作用を許容し得るよう貫通して伸びる開口を有している。二次ポペットは、二次制御弁を低圧範囲内にて制御する。
【０００６】
極片はボビンに隣接してソレノイド部分内に環状に配置されている。極片は、減少した直径の内側フランジを有している。アーマチャは弁軸に取り付けられ、また、極片の減少した内径のフランジと整合し且つ、該フランジに摺動可能に外接する形態とされている。アーマチャは、ボビン及びコイルにより囲まれ、このため、弁軸はソレノイド部分の励起に応答して長手方向に摺動することができる。１つの実施の形態において、ばね要素は、弁軸の周りにて形成され且つ、アーマチャと上側軸受との間で伸びてソレノイドが不作動とされたとき、弁軸はばね要素によって二次ポペットが二次弁座と接触するような方向に向けて摺動するようにする。
【０００７】
本発明の更なる適用分野は、以下に記載した詳細な説明から明らかになるであろう。詳細な説明及び特定の例は、本発明の好ましい実施の形態を示す一方、説明の目的のみを意図し、本発明の範囲を限定することを意図するものではないことを理解すべきである。
【０００８】
本発明は詳細な説明及び添付図面からより完全に理解されよう。
好ましい実施の形態に関する以下の説明は、性質上、単に一例にしか過ぎず、本発明、その適用例又は用途を何ら限定することを意図するものではない。
【発明を実施するための最良の形態】
【０００９】
図１には、二重ポペット低漏洩可変ブリード電磁弁１０の長手方向断面平面図が示されている。弁１０は、ボビン１６を包み込むハウジング１４を有するソレノイド部分２４ｂを備えており、該ボビン１６は、該ボビン１６に巻かれたコイル１８を有する。コイル１８が励起されると、ソレノイド部分１２内にて磁界が発生される。ソレノイド部分１２は、また端部キャップ２０を有しており、該端部キャップ２０は、該端部キャップ２０の周りに配置された排出ポート２２を有している。
【００１０】
弁１０は、ソレノイド部分２４ｂと接続可能な弁ハウジング２６を有する液圧部分２４ａも備えている。より具体的には、弁ハウジング２６のフラックスチューブ２８の部分はボビン１６に隣接するソレノイド部分２４ｂ内に摺動する。液圧部分２４ａは、ソレノイド部分２４ｂと対向する弁ハウジング２６の一端に配置された制御容積３０も有している。供給ポート３２は、制御容積３０の上方に配置された位置にて弁ハウジング２６を介して接続される。当該実施の形態において、弁ハウジング２６は外側ボアと合わさり、また、Ｏリングシール３３は弁ハウジング２６の外側の供給圧力領域を制御容積３０から分離する。第二のＯリングシール３５は、弁ハウジング２６の外部の供給圧力領域を周囲圧力又は溜め圧力領域から分離する。弁本体をマニホルド内に固定するため、その他の取り付け具が使用可能であることが容易に理解されよう。これと代替的に、弁本体をマニホルドの一部として形成してもよい。
【００１１】
弁軸３４は、ソレノイド部分２４ｂを通して摺動可能に配置され且つ、液圧部分２４ａ内に長手方向に伸びている。弁軸３４は、弁軸３４の長手方向軸線を通って伸びる中空通路３６を有している。中空通路３６は、流体媒体が液圧部分２４ａからソレノイド部分２４ｂまで流れるのを許容する。更に、中空通路３６は、弁軸３４の動きを減衰させ、これにより、電磁弁１０の安定性を向上させるという目的を果たすことができる。
【００１２】
中空通路３６は、ソレノイド部分２４ｂ内に配置された一次弁３８にて終わる第一の端部を有している。一次弁３８は、弁軸３４の端部の周りに形成された一次ポペット４０と、端部キャップ２０に形成された一次弁座４２とから形成されている。一次ポペット４０及び一次弁座４２は、共に弁軸３４がその長手方向軸線に沿って摺動することにより開き且つ閉じる一次弁３８を形成する。
【００１３】
中空通路３６は、液圧部分２４ａ内に配置された二次弁４４にて終わる第二の端部を有している。二次弁４４は、弁軸３４の端部である二次ポペット４６にて形成される。二次ポペット４６は、二次弁座４８を通って制御容積３０まで伸びる開口５０を有する二次弁座４８に対し摺動可能に着座する形態とされている。二次ポペット４６及び二次弁座４８は共に、弁軸３４の動きにより制御される二次弁４４を形成する。
【００１４】
図１ａ、図１ｂ及び図１ｃには、二次弁４４の代替的な実施の形態が示されている。図１ａにおいて、二次弁４４は二次ポペット４６を有しない。その代わり、弁軸３４の端部は、二次弁座４８に接触し且つ、該二次弁座４８に対して当接して二次弁４４を閉じる。
【００１５】
図１ｂには、二次弁座４８が突出したノズル４７を有する、二次弁４４の別の代替的な実施の形態が示されている。弁軸３４は、突出したノズル４７と整合されており、このため、弁軸３４の端部は、突出したノズル４７の上方を摺動し且つ、該突出したノズル４７に外接する。この形態は、二次弁４４の望ましくない漏洩を防止するためより緊密なシールを必要とする用途にて有用である。
【００１６】
図１ｃには、二次弁座４８がテーパー付き面４９を有する、二次弁４４の１つの代替的な実施の形態が示されている。弁軸３４の端部は、弁軸３４の端部のフランジ付き張り出し部に外接し且つ、該フランジ付き張り出し部を形成するリング５１を有している。リング５１は、二次弁座４８のテーパー付き面４９と接触する。リング５１は、二次弁４４の望ましくない漏洩を防止するため、より緊密なシールを提供する機能を果たす。
【００１７】
一次弁３８がソレノイド部分２４ｂ内に配置された、図１ａ、図１ｂ及び図１ｃに示した代替的な実施の形態を組み込むことも本発明の範囲に属する。一次弁３８は、一次ポペット４０が無く、また、一次弁座４２に対し当接することで弁軸３４の端部が一次弁３８を閉じるような形態とすることができる。この形態は、図１ａに示した実施の形態と同様である。
【００１８】
一次弁座４２が突出したノズルを有し、弁軸３４の端部が、図１ｂに示した二次弁４４の代替的な実施の形態と同様の仕方にて突出したノズルの上方を摺動し且つ、該突出したノズルに外接するような一次弁３８の形態となることも本発明の範囲に属するものである。
【００１９】
最後に、一次弁座４２がテーパー付き面を有し、弁軸３４の端部が弁軸３４の端部のフランジ付き張り出し部に外接し且つ、該フランジ付き張り出し部を形成するリングを有するような一次弁３８の形態とすることも本発明の範囲に属する。リングは、弁座４２のテーパー付き面と接触し、緊密なシールを形成する。この一次弁３８の実施の形態は、図１ｃに示したテーパー付き面４９にてリング５１と同様の仕方にて作用する。
【００２０】
作動時、二重ポペット低漏洩弁１０は、ソレノイド部分１２の励起に応答して機能する。コイル１８が励起されたとき、弁軸３４は、その長手方向軸線に沿って第一の方向に摺動する。弁軸３４の動きを容易にするため、アーマチャ５２は、弁軸３４の周りに環状に配置され且つ、圧力嵌め等によって弁軸３４に固定するか、又は弁軸３４に接着、はんだ付け又は溶接してもよい。アーマチャ５２は、コイル１８の励起の結果として発生された磁束による影響を受ける。これによりソレノイド部分１２内にてコイル１８を通って流れる電流の量に比例する弁軸３４の直線状の動きが生じる。ソレノイド部分１２が励起されると、弁軸３４は、端部キャップ２０に向けて第一の方向に摺動し、このため、一次ポペット４０は一次弁座４２に対し着座し、これにより一次弁３８を閉じる。これと同時に、弁軸３４の動きにより二次ポペット４６は二次弁座４８から離れる方向に動くため、二次弁４４は開く。
【００２１】
本発明の当該実施の形態において、ソレノイド部分１２のコイル１８が励起状態から解放されると、ばね６０によりアーマチャ５２は、励起されたときにアーマチャ５２が動く方向と反対の第二の方向に向けて摺動する。本発明の当該実施の形態におけるばね６０は、アーマチャ５２と上側軸受６４との間に配置されている。ソレノイド部分１２が励起状態から解放されたとき、ばね６０は、アーマチャ５２に力を加え、弁軸３４を反対方向に動かして二次ポペット４６を二次弁座４８と接触させたとき、二次弁４４を閉じる。これと同時に、一次ポペット４０が一次弁座４２から離れるとき、一次弁３８は完全に開いた位置まで動く。弁軸３４の動きを容易にするため、弁ハウジング２６の壁と弁軸３４との間に下側軸受６２が配置され、また、弁軸３４と極片５４との間に上側軸受６４が配置され、これにより、弁軸３４がその長手方向軸線に沿ってより自由に摺動するのを許容する。
【００２２】
望ましい比例的磁束を実現するため、ボビン１６の一部分に隣接して配置されたソレノイド部分１２内に極片５４が配置される。この特定の実施の形態において、極片５４は、ソレノイド部分１２が励起されたとき、アーマチャ５２に重なり合う形態とされた減少した内径のフランジ５６を有する。フランジ５６の幾何学的形態は励起されたコイル１８により発生される磁界の分布に影響を与えるから、重なり合うフランジ５６により望ましい比例的磁束が実現される。
【００２３】
図２には、二重ポペット低漏洩弁に対する形態の１つの代替的な実施の形態の断面平面図が示されている。図２に示した代替的な実施の形態は、極片、フラックスチューブ、ばね及びアーマチャの位置の点にて、図１に示した実施の形態と相違する。図２には、液圧部分２４の一部である極片５４´が示されている。極片５４´は、アーマチャ５２の磁気的特徴を適合させ得るように重なり合う形態とされた増大した直径の内側部分５６´を有している。アーマチャ５２と下側軸受６２との間にばね６０´が配置されている。本発明のこの特定の実施の形態において、ソレノイド部分１２が励起されると、アーマチャ５２は、第一の方向に動き、二次ポペット４６が二次弁座４８と接触するようにすることで二次弁４４を閉じる。これと同時に、一次ポペット４０が一次弁座４２から離れるとき、一次弁３８は開く。ソレノイド部分１２が励起状態から解放されると、ばね６０´はアーマチャ５２に力を加え且つ、弁軸３４は第二の方向に向けて摺動し、一次ポペット４０が一次弁座４２と接触するとき、一次弁３８は閉じられる。これと同時に、二次弁４４は、二次ポペット４６が二次弁座４８から離れると、開く。ソレノイド部分２４ｂが励起状態から解放されたとき、一次弁３８は閉じた位置にあるから、この弁は、常閉弁と称される。この特定の実施の形態における二重ポペット低漏洩弁１０´の作用は、ソレノイド部分１２が励起されたとき、一次弁３８は開き、二次弁４４は閉じられる。一方、図１において、弁１０が励起状態となるとき、一次弁３８は閉じられ、二次弁４４は開く点を除いて、図１に示した実施の形態と同様である。
【００２４】
図３には、図２の１つの代替的な実施の形態が示されている。この特定の実施の形態は、大きい直径の部分６６と、小さい直径の部分６８とを有する弁軸３４を備えている。ばね６０は下側軸受６２と肩部７０との間を伸びている。この実施の形態において、ばね６０はソレノイド部分２４ｂ内に伸びず、該ばねは、アーマチャ５２ではなくて弁軸３４に直接作用する。図２に示した弁と同様に、この実施の形態における弁もまたソレノイド部分２４ｂが励起状態から解放されたとき、一次弁３８は閉じた位置にあるような形態とされている（すなわち、常閉弁である）。
【００２５】
図４には、図１の１つの代替的な実施の形態が示されている。この特定の実施の形態は、大きい直径部分６６と、小さい直径部分６８とを有する弁軸３４を備えている。ばね６０は、上側軸受６４とアーマチャ５２との間を伸びている。更に、この実施の形態は、ソレノイド部分２４ｂを液圧弁部分２４ａから密封する機能を果たす隔膜７２を有している。図１に示した弁と同様に、ソレノイド部分２４ｂが励起状態から解放されたとき、一次弁３８は開き位置にあるから、この特定の実施の形態にて示した弁は、常開弁と称される。
【００２６】
上述した弁の作動方法は、従来の可変ブリード電磁弁と比較して溜めへの液圧流体の排出漏洩量を減少させつつ、同一の圧力調節機能を果たすことを許容する。このことは、排出ブリード（一次）弁３８と共に作動する一体型の供給遮断（二次）弁４４によって実現される。低圧のとき、二次弁４４は、供給ポート３２からの供給圧力が制御容積３０に入るのを阻止する。ソレノイド１２が作動されたとき、二次ポペット４６は二次弁座４８から離れる方向に動くと、二次弁４４は開き、供給圧力が制御容積３０に入るのを許容し、また、一次ポペット４０が一次弁座４２に向けて動くと、一次弁３８は閉じた位置に向けて動き、これにより排出漏洩量を徐々に減少させ且つ、ソレノイド１２の行程距離限界点にて制御容積３０の圧力を上昇させる。一次ポペット４０が一次弁座４２の面に接近すると、二次弁４４は完全に開く。この時点にて、制御容積３０内の圧力はその最高値となり、排出漏洩量は最小となる。
【００２７】
本発明の説明は、性質上、単に一例にしか過ぎず、このため、本発明の要旨から逸脱しない変更例は本発明の範囲に含めることを意図するものである。かかる変更例は、本発明の精神及び範囲から逸脱するものと見なすべきではない。
【図面の簡単な説明】
【００２８】
【図１】二重ポペット低漏洩弁の形態を示す断面平面図である。
【図１ａ】図１に示した二次弁の第一の代替的な実施の形態を示す切欠き断面平面図である。
【図１ｂ】図１に示した二次弁の第二の代替的な実施の形態を示す切欠き断面平面図である。
【図１ｃ】図１に示した二次弁の第三の代替的な実施の形態を示す切欠き断面平面図である。
【図２】二重ポペット低漏洩弁の形態を示す第二の実施の形態の断面平面図である。
【図３】テーパー付き弁軸を有する本発明の第三の実施の形態を示す断面平面図である。
【図４】動力付与部分から液圧部分を密封する隔膜を有する本発明の別の実施の形態を示す断面平面図である。
【符号の説明】
【００２９】
１０、１０´    二重ポペット低漏洩可変ブリード電磁弁
１２  ソレノイド、ソレノイド部分        １４  ハウジング
１６  ボビン                            １８  コイル
２０  端部キャップ                      ２２  排出ポート
２４ａ  液圧部分                        ２４ｂ  ソレノイド部分
２６  弁ハウジング                      ２８  フラックスチューブ
３０  制御容積                          ３２  供給ポート
３３  Ｏリングシール                    ３４  弁軸
３５  第二のＯリングシール              ３６  中空通路
３８  一次弁／排出ブリード弁            ４０  一次ポペット
４２  一次弁座                          ４４  二次弁／供給遮断弁
４６  二次ポペット                      ４７  突出したノズル
４８  二次弁座                          ４９  テーパー付き面
５０  開口                              ５１  リング
５２  アーマチャ                        ５４、５４´  極片
５６  フランジ                          ５６´  増大した直径の内側部分
６０、６０´  ばね                      ６２  下側軸受
６４  上側軸受                          ７０  肩部
７２  隔膜
【図１】
2006349142.tif 000003
【図１ａ】
2006349142.tif 000004
【図１ｂ】
2006349142.tif 000005
【図１ｃ】
2006349142.tif 000006
【図２】
2006349142.tif 000007
【図３】
2006349142.tif 000008
【図４】
2006349142.tif 000009
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
電磁弁（１０）において、
ソレノイド部分（２４ｂ）であって、コイル（１８）が巻かれたボビン（１６）を包み込むハウジング（１４）と、前記ハウジング（１４）の一端を通して配置された排出ポート（２２）とを有するソレノイド部分（２４ｂ）と、
液圧部分（２４ａ）であって、前記ソレノイド部分（２４ｂ）に接続可能な弁ハウジング（２６）と、前記液圧部分（２４ａ）に接続された制御容積（３０）とを有する液圧部分（２４ａ）と、
前記液圧部分（２４ａ）の前記弁ハウジング（１４）を通して接続された供給ポート（３２）と、
前記ソレノイド部分（２４ｂ）を通して摺動可能に配置されたアーマチャ（５２）を有する弁軸（３４）であって、前記ボビン（１６）が前記アーマチャ（５２）の周りに環状に配置され、前記弁軸（３４）は前記ソレノイド部分（２４ｂ）から前記液圧部分（２４ａ）内に伸びており、前記ソレノイド部分（１２）に配置された第一の端部と、前記液圧部分（２４ａ）に隣接して配置された第二の端部とを有する弁軸（３４）と、
前記弁軸（３４）の第一の端部に配置された一次弁（３８）と、
前記弁軸（３４）の第二の端部に配置された二次弁（４４）と、を備え、前記弁軸（３４）が第一の方向に向けて動くと、二次弁（４４４）は、開いた位置に向けて動き、前記一次弁（３８）は、閉じた位地に向けて動き、また、第二の位置に向けて動くと、二次弁（４４）は、閉じた位置に向けて動き、前記一次弁（３８）は、開いた位置に向けて動く、電磁弁（１０）。
【請求項２】
請求項１に記載の電磁弁（１０）において、前記二次弁（４４）と前記一次弁（３８）との間の流体的連通を許容するよう前記弁軸（３４）を通して配置された中空の通路（３６）を更に備える、電磁弁。
【請求項３】
請求項２に記載の電磁弁（１０）において、前記中空の通路（３６）は、電磁弁（１０）の安定性を向上させ得るように前記弁軸（３４）の粘性減衰を提供する、電磁弁。
【請求項４】
請求項１に記載の電磁弁（１０）において、前記ソレノイド部分（２４ｂ）の前記ハウジング（１４）を通して配置された調節可能な端部キャップ（２０）を更に備え、前記排出ポート（２２）は、前記端部キャップの周りに配置されている、電磁弁。
【請求項５】
請求項４に記載の電磁弁（１０）において、前記一次弁（３８）は、前記弁軸（３４）の前記第一の端部の周りに形成された一次ポペット（４０）と、前記一次ポペット（４０）に隣接して前記端部キャップ（２０）に形成された一次弁座（４２）とから形成され、
前記二次弁（４４）は、前記弁軸（３４）の前記第二の端部の周りに形成された二次ポペット（４６）と、前記液圧部分（２４ａ）内に保持された二次弁座（４８）とから形成され、前記二次弁座（４８）を貫通して伸びる開口を有し、前記二次弁座（４８）は、前記制御容積（３０）と前記供給ポート（３２）との間に配置されている、電磁弁。
【請求項６】
請求項１に記載の電磁弁（１０）において、
前記ボビン（１６）に隣接して前記ソレノイド部分（２４ｂ）内に環状に配置された極片（５４）を備え、
前記極片（５４）は、減少した内径のフランジ（５６）を有し且つ前記アーマチャ（５２）と整合し、また、前記アーマチャを摺動可能に囲む形態とされ、前記アーマチャ（５２）は、前記ボビン（１６）及びコイル（１８）により囲まれ、このため、前記アーマチャ（５２）及び前記弁軸（３４）は、前記ソレノイド部分（２４ｂ）の励起に応答して前記弁軸（３４）の長手方向軸線の周りにて摺動する、電磁弁。
【請求項７】
請求項６に記載の電磁弁（１０）において、
前記弁軸（３４）の回りに動作可能に形成されかつ前記アーマチャ（５２）と前記ハウジング（１４）との間で伸びているばね（６０）を更に備え、前記ソレノイド部分（２４ｂ）が付勢されていないとき前記ばね（６０）が前記アーマチャ（５２）に力を加えて前記弁軸（３４）を摺動させ、前記一次弁（３８）は開き位置にありかつ前記二次弁（４４）は閉じた位置にある、電磁弁。
【請求項８】
請求項１に記載の電磁弁（１０）において、
前記弁軸（３４）の周りに形成されかつそれと接触するばね（６０）を更に備え、
前記ばね（６０）は、前記二次ポペット（４６）を前記二次弁座（４８）と接触する方向に向けて動かすよう偏倚し、前記電磁弁を常開位置すなわち常低圧位置に配置する、電磁弁。
【請求項９】
請求項１に記載の電磁弁（１０）において、
前記弁軸の周りに形成されかつそれと接触するばね（６０）を更に備え、
前記ばね（６０）は、前記一次ポペット（４０）を前記一次弁座（４２）と接触する方向に向けて動かすよう偏倚し、前記電磁弁を常閉位置すなわち常高圧位置に配置する、電磁弁。
【請求項１０】
圧力制御弁（１０）において、
ハウジング（１４、２６）と、
前記ハウジング（１４、２６）の第１の端部における供給ポート（３２）と、
前記ハウジング（１４、２６）の第１の端部における制御容積（３０）と、
前記ハウジング（１４、２６０）の第２の端部における排出ポート（２２）と、
大きな直径の一次ポペット（４０）及び前記排出ポート（２２）と動作可能に関連つけられた一次弁座（４２）と、
小さな直径の二次ポペット（４６）及び前記供給ポート（３２）と動作可能に関連つけられた二次弁座（４２）であって、前記二次ポペット（４６）が前記一次ポペット（４０）及び前記一次弁座（４２）によって提供される制御ポート（３０）を補う二次ポペット及び二次弁座と、
前記一次弁座（４２）と前記二次弁座（４８）との間に摺動可能に配置された弁軸（３４）と、
前記弁軸（３４）を前記一次弁座（４２）と前記二次弁座（４８）との間で移動させる、前記弁軸（３４）と動作可能に関連付けられているソレノイド部分（２４ｂ）と、
を備える圧力制御弁。
【請求項１１】
請求項１０に記載の圧力制御弁（１０）において、前記ソレノイド部分（２４ｂ）が前記弁軸（３４）に固定されたアーマチャを備え、そのアーマチャは前記弁軸（３４）を前記一次弁差（４２）と前記二次弁座（４８）との間で位置決めして可変圧力制御を達成する圧力制御弁。  
【請求項１２】
請求項１０に記載の圧力制御弁（１０）において、前記二次弁座（４８）と前記一次弁座（４２）との間で流体の連通を許容するように前記弁を通して配置されている中空の通路（３６）を更に備える、圧力制御弁。
【請求項１３】
請求項１２に記載の圧力制御弁（１０）において、前記中空の通路（３６）が弁の安定性を向上するように電磁弁の粘性減衰を提供する、圧力制御弁。
【請求項１４】
請求項１０に記載の圧力制御弁（１０）において、更に、前記ソレノイドの前記ハウジング（１４、２６を介して配置された調節可能な端部キャップ（２０）を備え、前記排出ポート２２は前記端部キャップ（２０）の回りに配置されている、圧力制御弁。
【請求項１５】
請求項１０に記載の圧力制御弁において、前記弁軸３４の回りに形成され且つそれと接触するばね（６０）を更に備え、前記ばね（６０）は前記二次ポペット（４６）を前記二次弁座（４８）と接触する方向に偏倚し前記ソレノイド弁を常開位置すなわち常低圧位置にする、圧力制御弁。
【請求項１６】
請求項１０に記載の圧力制御弁（１０）において、前記弁軸３４の回りに形成され且つそれと接触するばね（６０）を更に備え、前記ばね（６０）は前記一次ポペット（４６）を前記一次ポペット弁座（４８）と接触する方向に偏倚し前記ソレノイド弁を常閉位置すなわち常高圧位置にする、圧力制御弁。
【外国語明細書】
2006349142000001.pdf